(57)【要約】【課題】  着脱が容易であるのはもちろん、デザイン上や内部構造を配置する際の制約を緩和できる保護カバー体を有する魚釣用リールを提供すること。【解決手段】  魚釣用リール１０はリール本体１２の左フレーム１４ｂを保護する左側板１６ｂを着脱可能に有する。リール本体は、左フレームの縁部に設けられた突起１３２と、左フレームの縁部に設けられているとともに突起に対して離れた位置に設けられたネジ穴６２ａとを有する。左側板は、突出部１４０ａと、着脱ネジ１５０とを有する。突起と突出部とを引っ掛け合った状態でネジ穴と着脱ネジとを互いに対して螺合することによって、リール本体の左フレームに対して左側板を装着可能である。【選択図】  図１７
2011050291.tif 000002
【特許請求の範囲】
【請求項１】
リール本体の被保護部を保護する保護カバー体を着脱可能に有する魚釣用リールであって、
前記リール本体は、前記被保護部の縁部に設けられたリール本体側引掛部と、前記被保護部の縁部に設けられているとともに前記リール本体側引掛部に対して離れた位置に設けられたリール本体側ネジ部とを有し、
前記保護カバー体は、前記被保護部を覆う形状を有するカバー体本体と、前記カバー体本体に設けられ前記リール本体側引掛部に着脱可能に引っ掛けられるカバー体側引掛部と、前記カバー体本体に設けられているとともに前記カバー体側引掛部に対して離れた位置に設けられ前記リール本体側ネジ部に着脱可能に螺合されるカバー体側ネジ部とを有し、
前記リール本体側引掛部と前記カバー体側引掛部とを引っ掛け合ったときに前記リール本体側ネジ部に対して前記カバー体側ネジ部が対峙するとともに、前記カバー体側引掛部が前記リール本体側引掛部に対して可動して前記リール本体側ネジ部に対して前記カバー体側ネジ部が接離可能であり、
前記リール本体側引掛部と前記カバー体側引掛部とを引っ掛け合った状態で前記リール本体側ネジ部と前記カバー体側ネジ部とを互いに対して螺合することによって、前記リール本体の前記被保護部に対して前記保護カバー体を装着するようにしたことを特徴とする魚釣用リール。
【請求項２】
前記リール本体は、釣糸をスプールに巻き取るハンドルが取り付けられた第１の側部と、前記ハンドルに対して反対側の第２の側部とを有するフレームを備え、
前記第２の側部に前記保護カバー体が着脱可能であることを特徴とする請求項１に記載の魚釣用リール。
【請求項３】
前記保護カバー体が前記フレームの第２の側部に装着されたとき、
前記リール本体側引掛部と前記リール本体側ネジ部との間、および、前記保護カバー体の前記カバー体側引掛部と前記カバー体側ネジ部との間には、前記スプールのフランジ部の少なくとも一部が配置されることを特徴とする請求項２に記載の魚釣用リール。
【請求項４】
前記リール本体側ネジ部および前記カバー体側ネジ部の一方は雄ネジ部であり、他方は雌ネジ部であり、
前記雄ネジ部は、前記雌ネジ部に螺合するネジ軸部と、前記リール本体側ネジ部と前記カバー体側ネジ部とを互いに対して螺合する際に回転操作される頭部とを有し、
前記雄ネジ部の前記ネジ軸部は前記雌ネジ部に向かって付勢されていることを特徴とする請求項１ないし請求項３のいずれか１に記載の魚釣用リール。
【請求項５】
前記リール本体側ネジ部および前記カバー体側ネジ部の一方は雄ネジ部であり、他方は雌ネジ部であり、
前記雄ネジ部は、前記雌ネジ部に螺合するネジ軸部と、前記ネジ軸部とは別体で前記リール本体側ネジ部と前記カバー体側ネジ部とを互いに対して螺合する際に回転操作される頭部とを有し、
前記ネジ軸部は、前記頭部に対して前記ネジ軸部の軸方向に移動可能で、前記ネジ軸部を前記頭部に対して前記雌ネジ部に向かって付勢する付勢手段と、前記頭部が回転操作されるのにしたがって一緒に回転する前記頭部に対する回り止め手段とを有することを特徴とする請求項１ないし請求項３のいずれか１に記載の魚釣用リール。
【発明の詳細な説明】
【技術分野】
【０００１】
この発明は、着脱可能な保護カバー体を有する魚釣用リールに関する。
【背景技術】
【０００２】
両軸受型魚釣用リールのハンドルと反対側（反ハンドル側）の側板のような保護カバー体は、スプールの着脱やバックラッシュ発生時の糸解し作業、あるいは、スプール制動装置の調節、清掃等が行えるように、フレームに対して１箇所のネジ部で容易に着脱可能に構成されているものがある。  
その着脱方式として、例えば特許文献１には、側板の前方側部に設けたネジを緩めてフレームに対する係止状態を開放することで側板を取り外す方法が開示されている。また、特許文献２には、ハンドル側の側板から反ハンドル側の側板に向けて挿入されたネジ棒を緩めてフレームに対する側板の回転規制状態を解除後、側板を回転してフレームに対する係止状態を開放することで側板を取り外す方法が開示されている。  
特許文献１、特許文献２のいずれの魚釣用リールにおいても、側板端面部とフレーム端面部との平行が維持された状態で、螺合により取り付け／取り外しが行われる。
【先行技術文献】
【特許文献】
【０００３】
【特許文献１】特開平８−２５６６４８号公報
【特許文献２】特開２００５−２１８４０１号公報
【発明の概要】
【発明が解決しようとする課題】
【０００４】
特許文献１や特許文献２の魚釣用リールでは、フレームに対して側板をネジにより締め付ける前において、側板端面部とフレーム端面部とを平行状態に配置する必要がある。このため、側板のデザインや、側板とフレームとの間の内部構造上の制約が多くなる。  
すなわち、側板を回転させた上、螺合する方法は、側板を回転可能にする必要から、側板とフレームの突き合わせ部分を平行にする必要上、デザイン上の制約が大きい。特に、上面において、突き合わせ部があると、その隙間から水分や汚れが入り込み、突き合わせ部の下方の内部機構に悪影響を及ぼすことがある。  
また、側板を回転させる際に移動してしまうため、側板の回転中心以外の部分には側板の外部に突出する機構を採用し難いという問題がある。
【０００５】
したがって、回転螺合方式の保護カバー体ではデザイン上や保護カバー体の内部構造を配置する際の制約が大きくなっている。  
この発明は、このような課題を解決するためになされたものであり、着脱が容易であるのはもちろん、デザイン上や内部構造を配置する際の制約を緩和できる保護カバー体を有する魚釣用リールを提供することを目的とする。
【課題を解決するための手段】
【０００６】
上記課題を解決するために、この発明に係る魚釣用リールは、リール本体の被保護部を保護する保護カバー体を着脱可能に有する。前記リール本体は、前記被保護部の縁部に設けられたリール本体側引掛部と、前記被保護部の縁部に設けられているとともに前記リール本体側引掛部に対して離れた位置に設けられたリール本体側ネジ部とを有し、前記保護カバー体は、前記被保護部を覆う形状を有するカバー体本体と、前記カバー体本体に設けられ前記リール本体側引掛部に着脱可能に引っ掛けられるカバー体側引掛部と、前記カバー体本体に設けられているとともに前記カバー体側引掛部に対して離れた位置に設けられ前記リール本体側ネジ部に着脱可能に螺合されるカバー体側ネジ部とを有し、前記リール本体側引掛部と前記カバー体側引掛部とを引っ掛け合ったときに前記リール本体側ネジ部に対して前記カバー体側ネジ部が対峙するとともに、前記カバー体側引掛部が前記リール本体側引掛部に対して可動して前記リール本体側ネジ部に対して前記カバー体側ネジ部が接離可能であり、前記リール本体側引掛部と前記カバー体側引掛部とを引っ掛け合った状態で前記リール本体側ネジ部と前記カバー体側ネジ部とを互いに対して螺合することによって、前記リール本体の前記被保護部に対して前記保護カバー体を装着するようにしたことを特徴とする。  
また、前記リール本体は、釣糸をスプールに巻き取るハンドルが取り付けられた第１の側部と、前記ハンドルに対して反対側の第２の側部とを有するフレームを備え、前記第２の側部に前記保護カバー体が着脱可能であることが好適である。  
また、前記保護カバー体が前記フレームの第２の側部に装着されたとき、前記リール本体側引掛部と前記リール本体側ネジ部との間、および、前記保護カバー体の前記カバー体側引掛部と前記カバー体側ネジ部との間には、前記スプールのフランジ部の少なくとも一部が配置されることが好適である。  
また、前記リール本体側ネジ部および前記カバー体側ネジ部の一方は雄ネジ部であり、他方は雌ネジ部であり、前記雄ネジ部は、前記雌ネジ部に螺合するネジ軸部と、前記リール本体側ネジ部と前記カバー体側ネジ部とを互いに対して螺合する際に回転操作される頭部とを有し、前記雄ネジ部の前記ネジ軸部は前記雌ネジ部に向かって付勢されていることが好適である。  
また、前記リール本体側ネジ部および前記カバー体側ネジ部の一方は雄ネジ部であり、他方は雌ネジ部であり、前記雄ネジ部は、前記雌ネジ部に螺合するネジ軸部と、前記ネジ軸部とは別体で前記リール本体側ネジ部と前記カバー体側ネジ部とを互いに対して螺合する際に回転操作される頭部とを有し、前記ネジ軸部は、前記頭部に対して前記ネジ軸部の軸方向に移動可能で、前記ネジ軸部を前記頭部に対して前記雌ネジ部に向かって付勢する付勢手段と、前記頭部が回転操作されるのにしたがって一緒に回転する前記頭部に対する回り止め手段とを有することが好適である。
【発明の効果】
【０００７】
この発明によれば、保護カバー体をリール本体の被保護部に装着する際に、保護カバー体およびリール本体がそれぞれ引掛部とネジ部とを有するので、リール本体の被保護部に内部構造を配置しても、保護カバー体を種々の形状に形成して、被保護部を保護することができる。このため、被保護部に対する保護カバー体の着脱が容易であるのはもちろん、保護カバー体を種々の形状にすることによってデザイン上の制約がなくなるとともに、被保護部と保護カバー体との間に種々の形状の内部構造を配置することができる。  
第２の側部に保護カバー体を着脱可能とすることによって、例えば両軸受型魚釣用リールのフレームやフレームに装着する種々の形状の内部構造を保護することができる。  
引掛部とネジ部との間の領域にスプールのフランジ部の少なくとも一部が配設されることによって、引掛部とネジ部との間を極力離すことができる。このため、引掛部とネジ部とが隣接した状態よりも保護カバー体の被保護部への固定を安定させることができる。  
また、雄ネジのネジ軸部を雌ネジ部に向かって付勢することにより、雄ネジのネジ軸部を押圧したときに、雌ネジ部の軸方向に雄ネジのネジ軸部の軸方向を近づける（例えば一致させる）ことができる。
【０００８】
また、雄ネジ部がネジ軸部と頭部とを別体に形成し、回り止め手段により頭部と共にネジ軸部を回転しかつネジ軸部の軸方向に移動できることにより、頭部を露出させるための大きな開口を必要とせず、この開口を介するゴミや水分等の異物の進入を抑制することができる。
【図面の簡単な説明】
【０００９】
【図１】第１実施形態に係る、釣竿に魚釣用両軸受型手巻きリールを取り付けた釣り具を保持した状態を示す概略図。
【図２】第１実施形態に係る魚釣用リールのうち、ハンドルが取り付けられた側と反対側から観察した状態を示し、図１中のＩＩ−ＩＩ方向から見た概略図。
【図３】第１実施形態に係る魚釣用リールを示し、図２中のＩＩＩ−ＩＩＩ線に沿う概略的な部分横断面図。
【図４】第１実施形態に係る魚釣用リールの左フレームから左側板を取り外した状態を示す概略図。
【図５】第１実施形態に係る魚釣用リールの左フレームから取り外した左側板を示し、（Ａ）は表面側を示す概略図、（Ｂ）は裏面側を示す概略図。
【図６】第１実施形態に係る魚釣用リールの図３中の矢印ＶＩで示す部分の概略的な拡大図。
【図７】第１実施形態に係る魚釣用リールの左側板から着脱ネジを分解した状態を示す概略的な斜視図。
【図８】第１実施形態に係る魚釣用リールの左側板の着脱ネジを示し、（Ａ）は図５（Ｂ）中の８Ａ−８Ａ線に沿う概略的な断面図、（Ｂ）は図８（Ａ）中の８Ｂ−８Ｂ線に沿う概略的な断面図、（Ｃ）は図８（Ｂ）中の８Ｃ−８Ｃ線に沿う概略的な断面図。
【図９】第１実施形態に係る魚釣用リールの図２中のＩＸ−ＩＸ線に沿う概略的な断面図。
【図１０】第１実施形態に係る魚釣用リールの図２中のＸ−Ｘ線に沿う概略的な断面図を示し、（Ａ）はサムレストの左側縁部に左側板の上側縁部の突起部を引っ掛けた状態を示す概略図、（Ｂ）はサムレストの左側縁部に左側板の上側縁部の突起部を引っ掛けた状態で着脱ネジのネジ部を左フレームのネジ穴に突き当てた状態を示す概略図、（Ｃ）は左フレームに対して左側板を押圧して、着脱ネジの軸部を軸方向に移動させて着脱ネジの軸部とネジ穴の軸方向を一致させた状態を示す概略図、（Ｄ）は着脱ネジの頭部を回転させてネジ部をネジ穴に螺合させた状態を示す概略図。
【図１１】第２実施形態に係る魚釣用両軸受型手巻きリールを示す概略図。
【図１２】第２実施形態に係る魚釣用リールのうち、ハンドルが取り付けられた側と反対側から観察した状態を示し、図１１中のＸＩＩ−ＸＩＩ方向から見た概略図。
【図１３】第２実施形態に係る魚釣用リールの左フレームから左側板を取り外した状態を示す概略図。
【図１４】第２実施形態に係る魚釣用リールの左フレームから取り外した左側板を示し、（Ａ）は表面側を示す概略図、（Ｂ）は裏面側を示す概略図。
【図１５】第２実施形態に係る魚釣用リールの左側板から着脱ネジを分解した状態を示す概略的な斜視図。
【図１６】第２実施形態に係る魚釣用リールの左側板の着脱ネジを示し、（Ａ）は図１４（Ｂ）中の１６Ａ−１６Ａ線に沿う概略的な断面図、（Ｂ）は図１６（Ａ）中の１６Ｂ−１６Ｂ線に沿う概略的な断面図。
【図１７】第２実施形態に係る魚釣用リールの図１２中のＸＶＩＩ−ＸＶＩＩ線に沿う概略的な断面図を示し、（Ａ）はサムレストの左側縁部に左側板の上側縁部の突起部を引っ掛けた状態を示す概略図、（Ｂ）はサムレストの左側縁部に左側板の上側縁部の突起部を引っ掛けた状態で着脱ネジのネジ部を左フレームのネジ穴に突き当てた状態を示す概略図、（Ｃ）は左フレームに対して左側板を押圧して、着脱ネジの軸部を軸方向に移動させて着脱ネジの軸部とネジ穴の軸方向を一致させた状態を示す概略図、（Ｄ）は着脱ネジの頭部を回転させてネジ部をネジ穴に螺合させた状態を示す概略図。
【図１８】第３実施形態に係る魚釣用スピニングリールのリール本体に保護カバー体を着脱可能とすることを示す概略図。
【発明を実施するための形態】
【００１０】
以下、図面を参照しながらこの発明を実施するための形態について説明する。  
図１から図１０は、本発明の好ましい第１実施形態による魚釣用リール１０を示す。  
図１から図３に示すように、本実施形態の魚釣用リール１０は、両軸受型手巻きリールとして形成してある。図２および図３に示すように、ここでは釣り人が左手ＬＨで釣竿８および魚釣用リール１０を保持し、図示しない右手で魚釣用リール１０の右側部のハンドル３０を回すように形成されている場合について説明する。もちろん、左手ＬＨでハンドル３０を操作するようにハンドル３０の配置が逆（左側部）であっても良い。
【００１１】
図１に示すように、魚釣用リール１０のリール本体１２は、一体成形、或いは、図示しない連結部材等で一体化される左右一対のフレーム１４ａ，１４ｂのそれぞれの外側に、例えばビス、螺合あるいは嵌合等の手段を適宜に組み合わせて側板１６ａ，１６ｂを取り付けて、全体的に剛性構造のハウジングとして形成され、フレーム１４ａ，１４ｂ間に配設されたリール取付脚部１８を介して釣竿８に固定される。  
なお、リール本体１２の左右一対のフレーム１４ａ，１４ｂの上側であって、側板１６ａ，１６ｂの間にはサムレスト１９が、例えばビス、螺合あるいは嵌合等の手段を適宜に組み合わせて取り付けられている。この実施形態では、サムレスト１９の外観は後述するスプール２０に巻回された釣糸に親指Ｆ１をかけてサミング操作を行うためにリール１０の後側が開いた略Ｕ字状である。
【００１２】
釣糸が巻回されるスプール２０は、左右のフレーム１４ａ，１４ｂ間に回転自在に支持され、右側板１６ａは、スプール２０を回転駆動させる巻取り駆動部２２を支持し、この右側板１６ａと右フレーム（第１の側部）１４ａとの間に形成された空間内に、この巻取り駆動部２２を形成する駆動力伝達系やドラグ系等の各種機構が収容されている。なお、左右は図１中における上下方向を示し、前後は図１中の左右方向に相当する。
【００１３】
このリール本体１２のフレーム１４ａ，１４ｂ間には、スプール軸２６の両端部が、例えばボール軸受２８ａ，２８ｂを介して回転自在に支持されている。スプール軸２６は、第１軸部２６ａと、第２軸部２６ｂとを同軸上に備え、第２軸部２６ｂはハンドル３０側に配設され、第１軸部２６ａはハンドル３０とは反対側（反ハンドル側）に配設されている。そして、スプール軸２６の第１軸部２６ａはスプール２０に装着されスプール２０と一体的に回転する。スプール軸２６の第２軸部２６ｂは、ハンドル３０の回転を軸受３２ａ，３２ｂに支持されたハンドル軸３４、ハンドル軸３４に回り止め嵌合されたドラグ機構４４を経由してドライブギヤ３６を介して回転駆動されるピニオンギヤ３８が同軸上に配置されている。そして、スプール軸２６の第１軸部２６ａと第２軸部２６ｂとの端部（リール本体１２の中央側端部）同士を突き合わせた場合、一緒に回転する。  
なお、ハンドル軸３４には、公知のスタードラグ（ドラグ調整ノブ）４２が配設され、ドライブギヤ３６には公知のドラグ機構４４が配設されているが、これらについては説明を省略する。
【００１４】
ピニオンギヤ３８は、公知のクラッチ（伝達機構）４８を介して、側板１６ａ，１６ｂ間に配置したクラッチレバー５０と連動しており、このクラッチレバー５０を下方に押圧作動することにより、クラッチ４８がＯＦＦとなり軸方向に沿って図３中の右側に移動することができる。例えば、クラッチレバー５０の操作により、スプール軸２６の第２軸部２６ｂの右端部にピニオンギヤ３８が嵌合した位置すなわち巻取状態と、スプール軸２６の第２軸部２６ｂの右端部からピニオンギヤ３８を分離した状態（スプールフリー状態）とすることができる。又、ピニオンギヤ３８が分離した状態で、ハンドル３０を回転させると、図示しない公知の復帰機構を介して、ピニオンギヤ３８がスプール軸２６の第２軸部２６ｂの右端部に嵌合して元の状態（巻取状態）に復帰し、スプール軸２６の第１軸部２６ａと一体化されているスプール２０が、ピニオンギヤ３８と共に一体的に回転する。
【００１５】
このスプール２０は、軸方向の両側に形成された一対のフランジ部２０ａ間に位置する円筒状の胴部２０ｂを有し、スプール軸２６の第１軸部２６ａに一体的に装着され、一対のフランジ部２０ａと釣糸巻回胴部２０ｂの外周面とで形成される環状溝内に釣糸（図示しない）が巻回される。この環状溝の底部を形成する胴部２０ｂ上に釣糸（図示しない）を均等に巻回するため、ハンドル３０の釣糸巻取り回転に連動して、一対の左右のフレーム１４ａ，１４ｂ間を往復動する公知のレベルワインド機構５２が配置されている。このレベルワインド機構５２は、右側板１６ａ内の駆動部と連動する係合子を左右に移動することにより、ハンドル３０の回転操作にともなって、釣糸をスプール２０の胴部２０ｂ上に均等に巻き取ることができる。  
なお、フレーム１４ａ，１４ｂ間には、レベルワインド機構５２を覆い、釣糸が絡みつくのを防止する前カバー５４が固定されている。
【００１６】
スプール２０の一対のフランジ部２０ａのうち、一方のフランジ部２０ａには、後述するバックラッシュ防止機構（内部機構）７０により制動力が付与される円筒状の導電体（被制動部）５６が固定されている。導電体５６は、スプール２０と一体回転する。  
導電体５６は、スプール軸２６の第１軸部２６ａに強固に固定されるボス部５６ａと、このボス部５６ａから半径方向外方に延びるディスク状部５６ｂと、このディスク状部５６ｂの外周縁部からハンドル３０と反対側に延びる円筒状部５６ｃとを有し、例えばアルミニウムあるいは銅等の非磁性の導電性材料で形成されている。  
この導電体５６は、円筒状部５６ｃがこのような非磁性の導電性材料で形成されるものであれば、その全体を同一材料で形成することは必ずしも必要なく、例えばボス部５６ａおよびディスク状部５６ｂをより軽量の樹脂材料等で形成してもよい。
【００１７】
図４に示す左フレーム（第２の側部）１４ｂに対しては図５に示す左側板１６ｂを着脱可能であり、左フレーム１４ｂに左側板１６ｂを取り付けた状態を図１および図２に示す。  
図４に示すように、左フレーム１４ｂは、平面部６２と、この平面部６２の縁部から外側（反ハンドル側）に延出された下側フランジ部６４とを有する。下側フランジ部６４は左フレーム１４ｂの下側から後側にかけて連続的に形成されている。平面部６２は後側が略円形状で、前側に向かうにつれて次第に細く、上下方向が幅狭になっている。この形状は、サムレスト１９の上側に左手ＬＨの親指Ｆ１を載せ、左フレーム１４ｂの下側フランジ部６４を左手ＬＨの人差し指で保持したときに、魚釣用リール１０と親指Ｆ１との間に隙間なく保持できる形状である。
【００１８】
サムレスト１９は、左フレーム１４ｂの平面部６２に対して例えばネジ６５で例えば２箇所に固定されている。１つ目の固定箇所はサムレスト１９のうち左フレーム１４ｂに対してハンドル３０と反対側に突出した左側縁部１９ａの下側である。２つ目の固定箇所は、サムレスト１９の左側縁部１９ａの後側であって、下側フランジ部６４の後側の端部の近傍である。なお、サムレスト１９の後端部の外表面は面取りされ、下側フランジ部６４の後側の端部との間の隙間が小さく、下側フランジ部６４の後側の端部と、左フレーム１４ｂの下側フランジ部６４の後端部との間の境界部分は、指等に対する引っ掛かりなく滑らかに処理されている。
【００１９】
図３、図４および図６に示すように、左フレーム１４ｂの平面部６２には、その構造については簡単に説明するバックラッシュ防止機構７０が配置されている。図６に示すように、バックラッシュ防止機構７０は、スプール軸２６と同軸上に中心軸を有しボール軸受２８ｂの外側に同心状に配設されたそれぞれリング状の内側磁石７０ａおよび外側磁石７０ｂを有する。図４に示すように、バックラッシュ防止機構７０は、左フレーム１４ｂの平面部６２に設けられた複数の保持部６３によって左フレーム１４ｂの平面部６２に係合保持されている。そして、バックラッシュ防止機構７０は、左フレーム１４ｂの平面部６２及び下側フランジ部６４と、サムレスト１９の左側縁部１９ａとによって形成された空間に配置されている。なお、バックラッシュ防止機構７０は左フレーム１４ｂの平面部６２に対して着脱可能であり、バックラッシュ防止機構７０を取り外した状態でスプール２０を着脱可能である。
【００２０】
この実施形態に係るバックラッシュ防止機構７０は、共に回動可能な第１調整部７２と第２調整部７４とを有する。  
図６に示す第１調整部７２は、スプール軸２６と同軸上に中心軸を有し、図２に示すレバー状の操作部７２ａを介してその中心軸回りに回動可能である。第１調整部７２は、内側磁石７０ａおよび外側磁石７０ｂを一体的にスプール軸２６の軸方向に沿って移動させることができる。すなわち、スプール２０の導電体５６に対して磁石７０ａ，７０ｂを接離させるので、磁石７０ａ，７０ｂ間の間隙７６に対して導電体５６の円筒状部５６ｃが入る量を調整することができる。このため、磁石７０ａ，７０ｂは、スプール２０の導電体５６を磁石７０ａ，７０ｂ間の間隙７６に対して配設量が大きくした状態（磁界の影響を強く受ける位置）と、小さくした状態（磁界の影響を配設量を大きくした状態よりも受け難い位置）との間を移動可能である。したがって、磁石７０ａ，７０ｂをスプール軸２６の軸方向に移動させたときには、磁石７０ａ，７０ｂを周方向に移動させた場合よりも磁界が大きく変化する。このため、第１調整部７２が操作されると、制動力の範囲が大きく調整される。  
第２調整部７４は、第１調整部７２とは離れた位置にあり、スプール軸２６の中心軸とは別の軸回りに回動可能である。図４に示すように、本実施形態では、第２調整部７４は第１調整部７２よりも前側に配設される。図６に示すように、第２調整部７４は、内側磁石７０ａを外側磁石７０ｂに対して周方向に移動させることができる。このとき、磁石７０ａ，７０ｂの配置が変化するので、磁石７０ａ，７０ｂ間の磁界が変化する。このため、第２調整部７４は、導電体５６に対して周方向に磁石７０ａ，７０ｂを移動することによって制動力を微調整することができる。  
なお、バックラッシュ防止機構７０は必ずしも必要というものではなく、単にスプール軸２６を保持するボール軸受２８ｂが配設されている構造であっても良い。
【００２１】
図４に示すように、左フレーム１４ｂの平面部６２には、左側板１６ｂの後述する着脱ネジ８８が螺合するネジ穴（リール本体側ネジ部）６２ａが形成されている。このネジ穴６２ａは左フレーム１４ｂの下側フランジ部６４の下側前方縁部６４ａに近接した位置に形成されている。また、左フレーム１４ｂの平面部６２には、左側板１６ｂの後述するピン９０が嵌合する孔部（リール本体側位置決め補助部）６２ｂが形成されている。この孔部６２ｂは左フレーム１４ｂの下側フランジ部６４の下側後方縁部６４ｂに近接した位置に形成されている。
【００２２】
なお、図４中、左フレーム１４ｂの下側フランジ部６４の下側前方縁部６４ａは左上がりの傾斜に形成され、下側後方縁部６４ｂは右上がりの傾斜に形成されている。すなわち、図４中、下側前方縁部６４ａは、釣竿８が装着されるリール取付脚部１８に対して前方側に向かうにつれて離れていくようになっている。また、下側後方縁部６４ｂは、リール取付脚部１８に対して後方側に向かうにつれて離れていくようになっている。
【００２３】
図５（Ａ）および図５（Ｂ）に示すように、左側板１６ｂは、左手ＬＨの掌を受ける外面部８２と、上側縁部８４と、下側縁部８６とを一体的に有する。  
外面部８２は、左手ＬＨの掌を受けるように膨出した表面部８２ａと、バックラッシュ防止機構７０を収容するとともに平面部６２に対向する凹状の裏面部８２ｂとを有する。上側縁部８４および下側縁部８６は外面部８２の表面部８２ａおよび裏面部８２ｂに滑らかに連続して形成されている。外面部８２には、さらに、左フレーム１４ｂに左側板１６ｂを装着した状態で第２調整部７４を操作可能な開口部８３を有する。そして、外面部８２は、上側縁部８４および下側縁部８６とともにバックラッシュ防止機構７０および左フレーム１４ｂを保護する保護カバー体本体を形成する。
【００２４】
上側縁部８４（図１０参照）は、この実施形態ではサムレスト１９の左側縁部（リール本体側引掛部）１９ａに引っ掛けられて嵌合するための嵌合部（カバー体側引掛部）として形成され、例えばその後方側で外方に向かって突出する突起部（爪部）８４ａを有する。そして、上側縁部８４はその突起部８４ａによってサムレスト１９の左側縁部１９ａの下側の所定の位置に嵌合される。すなわち、突起部８４ａは、リール本体１２に対して左側板１６ｂを引っ掛ける引掛部（カバー体側引掛部）を形成する。左側板１６ｂの上側縁部８４とリール本体１２のサムレスト１９の左側縁部１９ａとが嵌合された場合、サムレスト１９の左側縁部１９ａと左側板１６ｂの外面部８２との間の隙間は小さく、サムレスト１９の左側縁部１９ａと左側板１６ｂの外面部８２との間の境界部分は、指等に対する引っ掛かりなく滑らかに処理されている。
【００２５】
図５、図７および図８に示すように、下側縁部８６のうちスプール軸２６よりも前側部８６ａには、着脱ネジ（カバー体側ネジ部）８８が装着され、後側部８６ｂには、図５および図９に示すように、左フレーム１４ｂの平面部６２の孔部６２ｂに嵌合されるピン（カバー体側位置決め補助部）９０が配設されている。前側部８６ａには、着脱ネジ８８を操作するための凹部８６ｃが開口し、前側部８６ａと後側部８６ｂとの間には、第１調整部７２の操作部７２ａ（図２）の先端を外部に露出する凹部８６ｄが開口している。
【００２６】
ピン９０は、外面部８２の裏面部８２ｂ側に、外面部８２の表面部８２ａに対して離れる側に突出形成されている。そして、図５および図９に示すピン９０によって、サムレスト１９の左側縁部１９ａに嵌合する上側縁部８４の突起部８４ａとともに左フレーム１４ｂに対して左側板１６ｂを位置決めすることができる。  
なお、図９に示すように、ピン９０は円筒状に形成された部分を有し、すなわち、空間９０ａを有するので、ピン９０はピン９０の中心軸方向に向かって弾性変形により伸縮できる。
【００２７】
図５および図７に示すように、着脱ネジ８８は、前側部８６ａの凹部８６ｃを通して頭部（固定操作部）８８ａの一部が回転操作可能となっている。なお、頭部８８ａの一部は、前側部８６ａの外表面に対して突出していても、前側部８６ａの外表面に対して引き込まれた状態にあっても、親指Ｆ１の指腹で操作可能であれば良い。そして、図８（Ａ）および図８（Ｂ）に示す着脱ネジ８８の後述する軸部８８ｂのネジ部（雄ネジ部）９４は外面部８２に対して離れた側に突出し、左フレーム１４ｂのネジ穴（雌ネジ部）６２ａに螺合可能である。着脱ネジ８８の軸部８８ｂのネジ部９４および左フレーム１４ｂのネジ穴６２ａは左ネジとして形成されている。これは、釣竿８やリール１０の操作の際に指が当たっても着脱ネジ８８が締まる方向に力を加えるようにするためである。
【００２８】
図７および図８（Ａ）に示すように、着脱ネジ８８は、頭部８８ａと、この頭部８８ａに対して別体に形成されたネジ軸部である軸部８８ｂと、コイルバネ８８ｃとを備え、プレート１０６および固定ネジ１０８により左側板１６ｂに対して脱落を防止した状態に配置されている。  
図８（Ｂ）に示す着脱ネジ８８の軸部８８ｂは、頭部８８ａに対して回り止めされている（図８（Ｃ）参照）とともにコイルバネ８８ｃを左側板１６ｂの後述する支持部１０２との間に受けるフランジ部９２と、左フレーム１４ｂのネジ穴６２ａに螺合するネジ部９４と、支持部１０２の丸穴部１０２ａに配設される軸支部９６とを有する。ネジ部９４は、フランジ部９２から外面部８２に対して離れる方向に延出されている。軸支部９６はフランジ部９２から外面部８２に近接する方向に延出されている。そして、コイルバネ８８ｃにより、着脱ネジ８８の軸部８８ｂは、ネジ部９４を外面部８２から離れる方向に付勢されている。すなわち、ネジ部９４を押圧すると、軸支部９６が丸穴部１０２ａの内部に入り込み、頭部８８ａに対する突出量が小さくなる。
【００２９】
図５（Ｂ）、図８（Ａ）および図８（Ｂ）に示すように、左側板１６ｂの下側縁部８６の前側部８６ａの凹部８６ｃに隣接した位置であって、外面部８２の裏面部８２ｂ側には、着脱ネジ８８を支持する筒状の支持部１０２が形成されている。支持部１０２には、着脱ネジ８８の頭部８８ａから図８（Ａ）および図８（Ｂ）中の下側（外面部８２側）に突出する軸部８８ｂの軸支部９６を回転可能に支持する丸穴部１０２ａが形成されている。図５（Ｂ）および図８（Ａ）に示すように、支持部１０２に隣接する位置には、１対のネジ穴１０４が形成されている。そして、着脱ネジ８８の軸部８８ｂを受け入れる凹状部１０６ａを有するプレート１０６で、着脱ネジ８８の頭部８８ａを回転可能に押さえつつ、プレート１０６を固定ネジ１０８で固定することにより、着脱ネジ８８の頭部８８ａが支持部１０２とプレート１０６との間から脱落を防止した状態で回転操作可能に配設されている。
【００３０】
なお、図７および図８（Ａ）に示すように、着脱ネジ８８の頭部８８ａの外観は、通常のネジの頭部やナットのように外周部に刻み目状の凹凸が滑り止めとして形成されている。図８（Ｃ）に示すように、頭部８８ａの内周面は、対向する１対の頭部側平面（回り止め手段）１１２を有する。  
着脱ネジ８８の軸部８８ｂのフランジ部９２には、頭部８８ａの頭部側平面１１２に当接される１対の軸部側平面（回り止め手段）１１４を有する。これら平面１１２，１１４同士が軸方向に摺動可能なように突き合わせられた状態で頭部８８ａを回すと、軸部８８ｂも一緒に回転する。すなわち、これら平面１１２，１１４は、頭部８８ａと軸部８８ｂとの間の回り止め手段を形成する。
【００３１】
また、図２に示すように、左フレーム１４ｂに対して左側板１６ｂを取り付けた場合、左側板１６ｂの上側縁部８４の突起部８４ａと着脱ネジ８８との間にバックラッシュ防止機構７０の第１調整部が配設される。すなわち、左フレーム１４ｂに対して左側板１６ｂを取り付けた場合、上側縁部８４の突起部８４ａと着脱ネジ８８との間には、スプール２０のフランジ部２０ａが配設される。このとき、特に、突起部８４ａと着脱ネジ８８との間にはスプール軸２６が配置される位置関係にあることが好適である。すなわち、突起部８４ａと着脱ネジ８８とは、隣接した位置になく、離れた位置にあることが好適である。
【００３２】
以下、図４に示すリール本体１２の左フレーム１４ｂに図５（Ａ）および図５（Ｂ）に示す左側板１６ｂを取り付ける取付方法について説明する。  
まず、図１０（Ａ）に示すように、サムレスト１９が固定された左側板１６ｂの上側縁部８４の突起部８４ａをサムレスト１９の左側縁部１９ａの下側に配置する。このように、サムレスト１９の左側縁部１９ａの下側に左側板１６ｂの上側縁部８４の突起部８４ａを引っ掛けた状態にすると、左側板１６ｂは左フレーム１４ｂに対してヒンジ状に開閉可能である。このとき、サムレスト１９の左側縁部１９ａは、図４に示すように、左フレーム１４ｂの上側で前後方向全体にわたって形成されているので、左側板１６ｂの上側縁部８４を点でなく線や面として受けることができる。具体的には、外面部８２の表面部８２ａと上側縁部８４との境界付近がサムレスト１９の左側縁部１９ａに当接された状態となる。このため、左側板１６ｂを左フレーム１４ｂに対してヒンジ状に開閉する場合は安定した状態に開閉可能となる。  
この状態で左側板１６ｂの下側縁部８６を左フレーム１４ｂの下側フランジ部６４に対して近接させると、左側板１６ｂのピン９０の先端側が左フレーム１４ｂの孔部６２ｂに嵌め込まれる。このとき、図１０（Ｂ）に示すように、着脱ネジ８８の軸部８８ｂのネジ部９４はネジ穴６２ａの入口開口の周縁部に接触あるいは対向する状態にある。すなわち、着脱ネジ８８の軸部８８ｂのネジ部９４とネジ穴６２ａとが対峙する。しかし、この段階においては、着脱ネジ８８の軸心とネジ穴６２ａの軸心とが大きくずれた状態にある。そして、左フレーム１４ｂの下側フランジ部６４と、左側板１６ｂの下側縁部８６とは離れた状態にある。
【００３３】
この状態で左フレーム１４ｂに対して左側板１６ｂを押し込むと、図１０（Ｃ）に示すように、コイルバネ８８ｃのバネ付勢力に抗して着脱ネジ８８の軸部８８ｂが外面部８２の方向（図１０（Ｃ）中の左方向）に移動する。このため、左フレーム１４ｂの下側フランジ部６４と、左側板１６ｂの下側縁部８６とが近接し、最終的には当接する。このとき、左フレーム１４ｂのネジ穴６２ａと着脱ネジ８８の軸部８８ｂとの軸方向は略一致した状態にある。また、図９に示すように、左側板１６ｂのピン９０が左フレーム１４ｂの孔部６２ｂに対して深く嵌め込まれた状態にある。このため、左フレーム１４ｂに対する左側板１６ｂの位置が規定される。  
この状態で着脱ネジ８８の頭部８８ａを後側（図２中の右側）に向かって回転（左回転）させると、図１０（Ｄ）に示すように、左ネジの作用により着脱ネジ８８のネジ部９４がネジ穴６２ａに螺合されていく。このとき、図１０（Ｄ）に示すように、サムレスト１９の左側縁部１９ａに対して左側板１６ｂの上側縁部８４が嵌合し、図９に示すように、左側板１６ｂに設けられたピン９０が左フレーム１４ｂの孔部６２ｂに嵌合して左フレーム１４ｂの下側フランジ部６４の下側後方縁部６４ｂが左側板１６ｂの下側縁部８６の後側部８６ｂに当接し、図１０（Ｄ）に示すように、左側板１６ｂに設けられた着脱ネジ８８のネジ部９４が左フレーム１４ｂのネジ穴６２ａに螺合し、左フレーム１４ｂの下側フランジ部６４の下側前方縁部６４ａが左側板１６ｂの下側縁部８６の前側部８６ａに当接した状態である。
【００３４】
このように、左フレーム１４ｂに対して左側板１６ｂ自体を回転させることなく装着することができる。
【００３５】
そして、このような魚釣用リール１０のリール取付脚部１８を釣竿８に取り付けた状態で釣竿８およびリール１０を握持保持する場合、左手ＬＨの親指Ｆ１をサムレスト１９の上側に配し、左手ＬＨの掌の一部を左側板１６ｂの外面部８２の表面部８２ａに当てつつ人差し指から小指を釣竿８にかける。このとき、着脱ネジ８８の頭部８８ａは左側板１６ｂの下側縁部８６の前側部８６ａに配設されているので、着脱ネジ８８の頭部８８ａに指が当たらない。
【００３６】
なお、左側板１６ｂを左フレーム１４ｂに対して取り外す際には、着脱ネジ８８の頭部８８ａを前側（図２中の左側）に回転（右回転）させると、ネジ部９４がネジ穴６２ａに深く螺合された状態から次第に浅くなり、左側板１６ｂの下側縁部８６が左フレーム１４ｂの下側フランジ部６４から離れていく。そして、サムレスト１９の左側縁部１９ａに対する左側板１６ｂの上側縁部８４の突起部８４ａの嵌合を解除すると、左側板１６ｂのピン９０が左フレーム１４ｂの孔部６２ｂに嵌合された状態も解除される。着脱ネジ８８の頭部８８ａを左フレーム１４ｂから離隔する方向に引っ張ることで、左フレーム１４ｂに対して容易に左側板１６ｂを開くことができる。  
このように、着脱ネジ８８を左側板１６ｂに設けることにより、着脱ネジ８８の頭部８８ａを左フレーム１４ｂに対して離隔する方向に引っ張ることで、左側板１６ｂを左フレーム１４ｂに対して容易に取り外すことができる。
【００３７】
すなわち、本実施形態では、バックラッシュ防止機構（被保護部）７０や左フレーム（被保護部）１４ｂを左側板（保護カバー体）１６ｂで保護する場合、リール本体１２にサムレスト１９の左側縁部（リール本体側引掛部）１９ａと、左側縁部１９ａに離れた位置のネジ穴（リール本体側ネジ部）６２ａとを有する。一方、左側板１６ｂは、バックラッシュ防止機構７０や左フレーム１４ｂを覆う外面部（カバー体本体）８２と、サムレスト１９の左側縁部１９ａに着脱可能に引っ掛けられる突起部（カバー体側引掛部）８４ａを有する上側縁部（カバー体側引掛部）８４と、左フレーム１４ｂのネジ穴６２ａに着脱可能に螺合される着脱ネジ（カバー体側ネジ部）８８とを有する。そして、左側板１６ｂの突起部８４ａおよび上側縁部８４とリール本体１２のサムレスト１９の左側縁部１９ａとを引っ掛け合った状態でネジ穴６２ａに着脱ネジ８８を螺合することによって、簡単に左側板１６ｂを左フレーム１４ｂに装着することができる。
【００３８】
このため、左側板１６ｂで左フレーム１４ｂやバックラッシュ防止機構７０を保護することができるとともに、左側板１６ｂを容易に着脱可能とすることができる。また、左側板１６ｂの形状を左フレーム１４ｂやバックラッシュ防止機構７０の形状に合わせて適宜の形状とすることによって、被保護部である左フレーム１４ｂやバックラッシュ防止機構７０の形状や合わせ部の形状についても制約をなくすことができる。そして、本実施形態の左側板１６ｂのように、魚釣用リール１０の外観デザインの自由度を高くすることができる。
【００３９】
なお、この実施形態では、円盤状でない左側板１６ｂを円形状でない左フレーム１４ｂに装着することについて説明したが、外観デザインが円盤状の左側板を円形状の左フレームに装着できるようにそれぞれに互いに対する引掛部およびネジ部を形成しても良い。
【００４０】
また、左側板１６ｂを左フレーム１４ｂに装着したとき、突起部８４ａと着脱ネジ８８との間にバックラッシュ防止機構７０、スプール２０のフランジ部２０ａやスプール軸２６を配置することができる。左側板１６ｂを左フレーム１４ｂに対してこのように装着することによって、すなわち、突起部８４ａと着脱ネジ８８の軸部８８ｂとを遠い位置に配置することによって、突起部８４ａと着脱ネジ８８とが隣接した位置にあるよりも左側板１６ｂを左フレーム１４ｂに対して安定的に装着することができる。このように突起部８４ａと着脱ネジ８８の軸部８８ｂとを遠い位置に配置することにより、突起部８４ａをサムレスト１９の左側縁部１９ａに引っ掛けた状態で着脱ネジ８８の軸部８８ｂを左フレーム１４ｂのネジ穴６２ａに突き合わせたときに、着脱ネジ８８の軸部８８ｂの軸方向をネジ穴６２ａの軸方向に近づける（極力一致させる）ようにすることができる。このため、ネジ穴６２ａおよび着脱ネジ８８のネジ部９４に大きな力が加えられることが防止され、左側板１６ｂの左フレーム１４ｂに対する着脱をし易くすることができる。すなわち、ネジ穴６２ａおよび着脱ネジ８８にかける負荷を低減させて安定化させた状態で着脱することができる。この関係は、着脱ネジ８８の軸部８８ｂが左側板１６ｂの外面部８２に対して近接する方向（着脱ネジ８８の軸部８８ｂの軸方向）に移動しない場合に特に大きな効果を発揮する。また、このような左側板１６ｂによって、バックラッシュ防止機構７０、スプール２０、スプール２０のスプール軸２６を受けるボール軸受２８ｂを確実に保護することができる。
【００４１】
一方、本実施形態で説明したように、軸部８８ｂがコイルバネ８８ｃのバネ付勢力により軸方向に動くことによって、着脱ネジ８８のネジ部９４がネジ穴６２ａの軸方向に対して斜めに当接された状態を緩和することができる（軸方向を略一致させることができる）ので、着脱ネジ８８とネジ穴６２ａとを螺合する際に、図１０（Ｃ）および図１０（Ｄ）に示す状態で左側板１６ｂを左フレーム１４ｂに容易に着脱することができる。また、軸方向を一致させるために、左側板１６ｂや左フレーム１４ｂに変形負荷が作用しなくなるため、耐久性が向上する。
【００４２】
さらに、左側板１６ｂにある着脱ネジ８８は、その頭部８８ａの一部のみが左側板１６ｂの下部の外周上に操作可能に露出された状態にあるので、実釣時や携帯時に魚釣用リール１０を右手から左手に持ち替える際に着脱ネジ８８の頭部８８ａが手に触れる機会があっても、左ネジとして形成され、これはリール本体１２の後方側に向けて操作する方向が締め付け固定方向に設定されているので、左フレーム１４ｂに対する左側板１６ｂの不必要な緩みを防止できる。  
軸部８８ｂとは別体に形成された頭部８８ａは、前側部８６ａの凹部８６ｃ内で回転するだけで、平面１１２，１１４を介して軸部８８ｂを回転し、ネジ部９４をネジ穴６２ａに螺合しつつ軸部８８ｂのみを軸方向に沿って移動することができる。頭部８８ａは軸部８８ｂと共に軸方向移動する必要はない。凹部８６ｃが外部に開口する面積は、指で操作するために必要な量だけ頭部８８ａを露出できるものであればよい。このため、凹部８６ｃが外部に開口する面積を極めて小さくし、ゴミや水分等の異物の浸入を効果的に防止することができる。
【００４３】
なお、この実施形態では、左側板１６ｂに着脱ネジ８８を配置した場合について説明したが、左フレーム１４ｂの下側フランジ部６４の特に下側前方縁部６４ａに着脱ネジ８８を配置する構造であっても良い。この場合、ネジ部９４は左側板１６ｂの外面部８２側に向かって延出されており、右ネジとして形成される。そして、着脱ネジ８８の頭部８８ａは、左フレーム１４ｂに左側板１６ｂを装着したときに左フレーム１４ｂの下側フランジ部６４だけに配置されるように形成されていても良いし、左フレーム１４ｂに加えて左側板１６ｂの両方に配置されるように形成されていても良い。  
また、ハンドル３０をリール本体１２の左側に設ける場合、着脱ネジ８８は右フレーム１４ａ又は右側板１６ａに設けられ、右フレーム１４ａの場合は左ネジとして、右側板１６ａの場合は右ネジとして形成される。
【００４４】
また、左フレーム１４ｂの孔部６２ｂおよび左側板１６ｂのピン９０は、左フレーム１４ｂに対して左側板１６ｂを位置決めするのに設けられていることが好適であるが、補助的に設けられているもので、必ずしも必要というわけではない。
【００４５】
次に、第２実施形態について図１１から図１７を用いて説明する。この実施形態は第１実施形態の変形例であって、第１実施形態と同一の部材又は同一の機能を有する部材には同一の符号を付し、詳しい説明を省略する。  
この実施形態ではサムレスト１９のうち、図１１から図１３に示すように左フレーム１４ｂの平面部６２に対して左側に突出した左側縁部１９ａが除去され、図１４（Ａ）および図１４（Ｂ）に示すように左側板１６ｂの上側縁部８４の突起部８４ａが除去された例について説明する。
【００４６】
図１３に示すリール本体１２のサムレスト１９の左側端面は、左フレーム１４ｂの下側フランジ部６４の左側板側の端面６４ｄと面一又は略面一の状態にあることが好ましい。ここでは、サムレスト１９の左側端面は左フレーム１４ｂの下側フランジ部６４の左側板側の端面６４ｄの一部であるとして説明する。
【００４７】
左フレーム１４ｂの平面部６２のうち、上側かつ後側の部分には、左方向に突出した突起（リール本体側引掛部）１３２が形成されている。図１７（Ａ）から図１７（Ｄ）に示すように、突起１３２は、左フレーム１４ｂの平面部６２に対して左方向に突出し、その先端が上側に屈曲している。なお、突起１３２は近接するサムレスト１９の左縁部に略平行に幅を持った状態に形成されていることが好ましい。  
図１３に示すように、左フレーム１４ｂの突起１３２とネジ穴６２ａとの間には、スプール２０やバックラッシュ防止機構７０が着脱可能に配設されている。
【００４８】
図１４（Ａ）および図１４（Ｂ）に示すように、この実施形態に係る左側板１６ｂは、左手ＬＨの掌を受ける外面部８２と、上側縁部１４０と、下側縁部８６とを一体的に有する。  
図１４（Ｂ）に示すように、左側板１６ｂの下側縁部８６は上側縁部１４０と左側板１６ｂの前端側および後端側で環状に連続して形成されている。そして、左側板１６ｂの上側縁部１４０および下側縁部８６のうち、左フレーム１４ｂおよびサムレスト１９との当接面は平面状に形成されている。  
また、上側縁部１４０には、下側縁部８６に向かって突出する突出部１４０ａが形成されている。突出部１４０ａは、近接する上側縁部１４０の縁部に略平行に幅を持った状態に形成されていることが好ましい。突出部１４０ａは、左側板１６ｂが左フレーム１４ｂに装着されたときに、突出部１４０ａと後述する着脱ネジ１５０との間にバックラッシュ防止機構７０やスプール２０のフランジ部２０ａを横切るような位置関係であって、特に、スプール軸２６を横切るような位置関係にあることが好ましい。
【００４９】
そして、図１５から図１６（Ｂ）に示すように、着脱ネジ１５０は、軸部１５２と、軸部１５２に一体的に固定された頭部１５４と、軸部１５２の外周に配設されるコイルバネ１５６とを有する。軸部１５２は、一端に配設されたネジ部（雄ネジ部）１５２ａと、他端に配設された軸支部１５２ｂとを有する。そして、軸部１５２の軸支部１５２ｂが左側板１６ｂの支持部１０２の丸穴部１０２ａに配設され、プレート１０６および固定ネジ１０８によって着脱ネジ１５０が押さえられている。そして、着脱ネジ１５０のネジ部１５２ａは、外面部８２に対して離れる方向に配置されている。  
なお、頭部１５４のうち、支持部１０２に近接する側には、コイルバネ１５６の一端を支持する凹部１５４ａが形成されている。このため、この着脱ネジ１５０は、第１実施形態の着脱ネジ８８とは異なり、着脱ネジ１５０全体が軸部１５２の軸方向に移動する。
【００５０】
この着脱ネジ１５０は、軸部１５２の軸支部１５２ｂが支持部１０２の丸穴部１０２ａに回転可能に支持され、かつ、プレート１０６により左側板１６ｂに対する脱落が防止されている。  
なお、ネジ部１５２ａは、第１実施形態のネジ部９４と同様に左ネジとして形成されている。
【００５１】
以下、図１３に示すリール本体１２の左フレーム１４ｂに図１４（Ａ）および図１４（Ｂ）に示す左側板１６ｂを取り付ける取付方法について説明する。  
まず、図１７（Ａ）に示すように、左側板１６ｂの上側縁部１４０の突出部１４０ａを左フレーム１４ｂの突起１３２に引っ掛ける。このように、左側板１６ｂの上側縁部１４０の突出部１４０ａを左フレーム１４ｂの突起１３２に引っ掛けた状態にすると、左フレーム１４ｂの突起１３２を支点として左側板１６ｂの下側縁部８６が左フレーム１４ｂの下側フランジ部６４に対して接離可能なようにヒンジ状に開閉可能である。このとき、突起１３２および突出部１４０ａは幅をもっているので、左側板１６ｂの突出部１４０ａが突起１３２の幅方向に移動することによる脱落が極力防止される。このため、左側板１６ｂを左フレーム１４ｂに対してヒンジ状に開閉する場合は安定した状態に開閉可能となる。  
この状態で左側板１６ｂの下側縁部８６を左フレーム１４ｂの下側フランジ部６４に対して近接させると、左側板１６ｂのピン９０の先端側が左フレーム１４ｂの孔部６２ｂに嵌め込まれる。このとき、図１７（Ｂ）に示すように、着脱ネジ１５０の軸部１５２のネジ部１５２ａはネジ穴６２ａの入口にある。そして、左フレーム１４ｂの下側フランジ部６４と、左側板１６ｂの下側縁部８６とは離れた状態にある。
【００５２】
この状態で左フレーム１４ｂに対して左側板１６ｂを押し込むと、図１７（Ｃ）に示すように、コイルバネ１５６のバネ付勢力に抗して着脱ネジ１５０の軸部１５２および頭部１５４がプレート１０６側から外面部８２の方向（図１７（Ｃ）中の左方向）に移動する。このため、左フレーム１４ｂの下側フランジ部６４と、左側板１６ｂの下側縁部８６とが近接し、最終的には当接する。このとき、左フレーム１４ｂのネジ穴６２ａと着脱ネジ１５０の軸部１５２との軸方向は略一致した状態にある。また、図９に示すように、左側板１６ｂのピン９０が左フレーム１４ｂの孔部６２ｂに対して深く嵌め込まれた状態にある。このため、左フレーム１４ｂに対する左側板１６ｂの位置が規定される。  
この状態で着脱ネジ１５０の頭部１５４を後側（図１２中の右側）に向かって回転させると、図１７（Ｄ）に示すように、左ネジの作用により着脱ネジ１５０のネジ部１５２ａがネジ穴６２ａに螺合されていく。このとき、図９に示すように、左側板１６ｂに設けられたピン９０が左フレーム１４ｂの孔部６２ｂに嵌合して左フレーム１４ｂの下側フランジ部６４の下側後方縁部６４ｂが左側板１６ｂの下側縁部８６の後側部８６ｂに当接し、図１７（Ｄ）に示すように、左側板１６ｂに設けられた着脱ネジ１５０のネジ部１５２ａが左フレーム１４ｂのネジ穴６２ａに螺合し、左フレーム１４ｂの下側フランジ部６４の下側前方縁部６４ａが左側板１６ｂの下側縁部８６の前側部８６ａに当接した状態である。
【００５３】
このように、左フレーム１４ｂに対して左側板１６ｂ自体を回転させることなく装着することができる。  
なお、本実施形態では左フレーム１４ｂに突起１３２が形成されているものとして説明したが、サムレスト１９の左端部に突起１３２が形成されていても良い。また、サムレスト１９と左フレーム１４ｂは一体に成形されても良い。また、突起１３２と突出部１４０ａとが逆の配置であることも好ましい。すなわち、左側板１６ｂの上側縁部１４０に突起１３２が形成され、左フレーム１４ｂに突出部１４０ａが形成されていることも好ましい。  
この実施形態による効果は第１実施形態で説明した効果と同様の効果を有するので、ここでの説明は省略する。  
なお、着脱ネジ１５０がリール本体１２の左フレーム１４ｂに配設され、左側板１６ｂにネジ穴６２ａが形成されていることが好適なことはもちろんである。
【００５４】
ここで、図１７（Ａ）に示す状態のように着脱ネジ１５０のネジ部１５２ａとネジ穴６２ａとの間が螺合されていないときに、リール本体１２の上下を逆にして左側板１６ｂから手を離しても、左側板１６ｂがリール本体１２から脱落しないように引っ掛けることができるようにしても良い。すなわち、左側板１６ｂの突出部１４０ａやリール本体１２の突起１３２には、両者が連結される状態が含まれるものである。このとき、突出部１４０ａと突起１３２とは簡単に着脱可能なように接続されることが好ましい。  
また、本実施形態の着脱ネジ１５０の代わりに、第１実施形態で説明した着脱ネジ８８を用いることもできる。
【００５５】
次に、第３の実施の形態について図１８を用いて説明する。  
本実施形態は、魚釣用リールとしてスピニングリール２１０を用いた例である。
【００５６】
図１８に示すように、スピニングリール２１０は、リール取付脚部２１２ａを有するリール本体２１２と、ハンドル２１４と、駆動機構２１６と、ロータ２１８と、スプール２２０と、ベール２２２と、制動装置２２４とを有する。  
ここで、各部（リール本体２１２、ハンドル２１４、駆動機構２１６、ロータ２１８、スプール２２０、ベール２２２、制動装置２２４）の構造については、例えば公知の構造を用いることができる。
【００５７】
そして、リール本体２１２には、本実施形態ではオシレートギヤ方式の駆動機構２１６が配設され、リール本体２１２の後端には、ハンドル２１４のハンドル軸２１４ａに同軸状に一体的に形成された小歯車（図示せず）に連動する連動歯車（オシレート歯車）２３２と図示しない偏芯突部が配設される案内溝２３４等が配設されている。
【００５８】
そして、リール本体２１２の下側部から後端部にかけての領域（被保護部）２３８には、リール本体２１２の下側部から後端部にかけての領域２３８をカバーして保護する保護カバー体２４０が着脱可能に配設される。保護カバー体２４０のカバー体本体２４２は、本実施形態では例えば蓮華（中華料理などに使うさじ）のような形状を有する。  
保護カバー体２４０は、カバー体本体２４２と、このカバー体本体２４２の一端部に設けられたカバー体側引掛部２５２と、カバー体本体２４２の他端部に設けられたカバー体側ネジ部２４６とを有する。
【００５９】
一方、リール本体２１２の下側部にはリール本体側引掛部２４４が形成され、後端部にはリール本体側ネジ部２５４が形成されている。  
カバー体側引掛部２５２は、リール本体２１２の下側部のリール本体側引掛部２４４に引っ掛けることができる。そして、カバー体側引掛部２５２をリール本体側引掛部２４４に引っ掛けた状態の場合、リール本体２１２に対して保護カバー体２４０をヒンジ状に動かすことができる。  
ここで、図１８に示す状態に魚釣用リール２１０を保持したときに、カバー体側ネジ部２４６とリール本体側ネジ部２５４との間が螺合されていない状態で、カバー体２４０から手を離してもカバー体２４０がリール本体２１２から脱落しないように引っ掛けることができる。すなわち、カバー体側引掛部２５２やリール本体側引掛部２４４の引掛部には、両者が連結される状態が含まれるものである。このとき、カバー体側引掛部２５２とリール本体側引掛部２４４とが簡単に着脱可能なように接続されていることが好ましい。
【００６０】
カバー体側ネジ部２４６には、ここでは第１実施形態で説明したのと同様な着脱ネジ８８が配設されている。リール本体側ネジ部２５４には第１実施形態で説明したネジ穴６２ａと同様なネジ穴が形成されている。このため、カバー体側引掛部２５２とリール本体側引掛部２４４とを引っ掛けた状態で、カバー体側ネジ部２４６の着脱ネジ８８のネジ部９４をリール本体側ネジ部２５４に当接させた状態でカバー体側ネジ部２４６の着脱ネジ８８の頭部８８ａを回転させると、保護カバー体２４０をリール本体２１２に固定することができる。
【００６１】
この実施形態によれば、リール本体２１２の下側部から後端部にかけての領域２３８に保護カバー体２４０を着脱可能に固定することができる。このため、リール本体２１２の下側部から後端部にかけての領域２３８を保護カバー体２４０で保護することができるとともに、保護カバー体２４０をリール本体２１２に対して容易に取り付け／取り外しすることが可能となる。また、リール本体２１２の下側部から後端部にかけての領域２３８の形状に合わせて保護カバー体２４０を形成することにより、被保護部の形状や合わせ部の形状についての制約を無くすことができ、デザイン上、設計上の自由度を拡大させることができる。例えば、保護カバー体２４０の外周に装飾を施しても良いし、保護カバー体２４０の内部に内部機構を配置するようにしても良い。
【００６２】
なお、着脱ネジ８８のネジの頭部８８ａをリール本体２１２の後端部に設けても良いことはもちろんである。また、本実施形態では、リール本体２１２の下側部から後端部にかけての領域（被保護部）２３８に保護カバー体２４０を配置することについて説明したが、他の部分にこのような保護カバー体を配置できることはもちろんである。  
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００６３】
１０…魚釣用リール、１２…リール本体、１４ｂ…左フレーム、１６ｂ…左側板、１９…サムレスト、１９ａ…左側縁部、２０…スプール、３０…ハンドル、６２…平面部、６２ａ…ネジ穴、６２ｂ…孔部、６４…下側フランジ部、６４ａ…下側前方縁部、６４ｂ…下側後方縁部、７０…バックラッシュ防止機構、７２…第１調整部、７４…第２調整部、７６…間隙、８２…外面部、８２ａ…表面部、８２ｂ…裏面部、８３…開口部、８４…上側縁部、８４ａ…突起部、８６…下側縁部、８６ａ…前側部、８６ｂ…後側部、８６ｃ…凹部、８８…着脱ネジ、８８ａ…頭部、８８ｂ…軸部、８８ｃ…コイルバネ、９０…ピン、９２…フランジ部、９４…ネジ部、９６…軸支部、１０２…支持部、１０２ａ…丸穴部、１０４…ネジ穴、１０６…プレート、１０６ａ…凹状部、１０８…固定ネジ。
【図１】
2011050291.tif 000003
【図２】
2011050291.tif 000004
【図３】
2011050291.tif 000005
【図４】
2011050291.tif 000006
【図５】
2011050291.tif 000007
【図６】
2011050291.tif 000008
【図７】
2011050291.tif 000009
【図８】
2011050291.tif 000010
【図９】
2011050291.tif 000011
【図１０】
2011050291.tif 000012
【図１１】
2011050291.tif 000013
【図１２】
2011050291.tif 000014
【図１３】
2011050291.tif 000015
【図１４】
2011050291.tif 000016
【図１５】
2011050291.tif 000017
【図１６】
2011050291.tif 000018
【図１７】
2011050291.tif 000019
【図１８】
2011050291.tif 000020